(57)【要約】【課題】  ピストンロッドのストローク長さが縮み行程よりも伸び行程の方が長く設定された油圧緩衝器でも問題無く、且つ安価に取り付けることができるダストカバーの取付構造を提供する。【解決手段】  シリンダ２開口端部から侵退するピストンロッド８を覆うようにこのピストンロッド８の外周に配置される蛇腹状のダストカバー１５を備えた油圧緩衝器において、ダストカバー１５の先端をピストンロッド８の先端側に固定すると共に、シリンダ２の開口端部近傍にダストカバー１５の基端部が当接する突部９を設け、ピストンロッド８の縮み行程時にダストカバー１５の基端部が突部９よりシリンダ２基端側へ移動するのを防止した。【選択図】        図１
2005188548.tif 000002
【特許請求の範囲】
【請求項１】
シリンダ開口端部から侵退するピストンロッドを覆うようにこのピストンロッドの外周に配置される蛇腹状のダストカバーを備えた油圧緩衝器において、ダストカバーの先端をピストンロッドの先端側に固定すると共に、シリンダの開口端部近傍にダストカバーの基端部が当接する規制部材を設け、ピストンロッドの縮み行程時にダストカバーの基端部が規制部材よりシリンダ基端側へ移動するのを防止したことを特徴とする油圧緩衝器。
【請求項２】
ピストンロッドの先端側にバンプラバーの先端を固定し、このバンプラバーと当接するバンプストッパをシリンダ開口端部に設けると共に、このバンプストッパに規制部材を設けたことを特徴とする請求項１記載の油圧緩衝器。
【請求項３】
シリンダに懸架ばねの下端を支持するロアスプリングガイドを設け、ピストンロッドの先端側に懸架ばねの上端を支持するアッパースプリングガイドを設けると共に、ロアスプリングガイドよりシリンダ開口端部側に規制部材を設けた請求項１又２記載の油圧緩衝器。
【請求項４】
規制部材はシリンダの外周方向に向って突出する複数の突部であって、シリンダの周方向に所定間隔をおいて形成されると共に、この突部の先端を結んで出来る円の外径をダストカバーの基端部の外径よりも大きくした請求項１，２又は３記載の油圧緩衝器。
【発明の詳細な説明】
【技術分野】
【０００１】
本発明は、自動車等の車両に使用される油圧緩衝器に関し、特に、ピストンロッドを覆うダストカバーの取付構造に関する。
【背景技術】
【０００２】
自動車等の車両のサスペンション装置に用いられる油圧緩衝器のうち、ピストンロッドの外周にこのピストンロッドを覆って保護するためのダストカバーを設けたものとしては、特許文献１に示す油圧緩衝器のダストカバー固定構造を例示することができる。
【０００３】
即ち、蛇腹状をなすダストカバーの先端部をピストンロッド先端側に固定すると共に、同カバーの基端部には剛性の低下したスカート部を延在させ、このスカート部に設けた係止部を、アウターチューブの開口端部に取り付けたバンプストッパキャップのフランジ部に係止することにより、ダストカバーの基端部をアウターチューブ側に固定するものである。
【０００４】
これによれば、ピストンロッドがアウターチューブ内に侵入する縮み行程でもダストカバーの基端部はバンプストッパキャップよりも下方に移動しないので、この基端部がバンプストッパキャップより下方に位置するスプリングシートに当接するのを防止でき、基端部がスプリングシートに当接することによって生じるスプリングシートの塗装の剥がれ、それに起因する錆の発生を防止できると言うメリットがある。
【特許文献１】特開２００３−６５３８１号公報（図１〜図５）
【発明の開示】
【発明が解決しようとする課題】
【０００５】
上記の構造では、ダストカバーの基端部をバンプストッパキャップのフランジ部に係止する作業が必要となるので、その分、組付コストが嵩むと言う問題点がある。
【０００６】
又、車体に装着された状態からピストンロッドがアウターチューブ内に侵入する縮み行程のストローク長さよりも、アウターチューブからピストンロッドが退出する伸び行程のストローク長さが極端に長くなるように設定された油圧緩衝器に対して上記のダストカバーの固定構造を使用する場合、以下に示す問題点が発生する。
【０００７】
即ち、ピストンロッドが最も縮んだ状態の時にダストカバーの蛇腹部が最も折り畳まれるようにこの蛇腹部の山部の外径、谷部の内径、山数等を設定すると、伸び行程においてはその行程の途中で蛇腹部が伸びきってしまい、軸方向に対する長さが不足すると言う問題点がある。
【０００８】
そこで、上記蛇腹部自体の長さを伸び行程におけるストローク長さに対応した長さに設定することも考えられるが、この場合には縮み行程時に蛇腹部が最も折り畳まれた状態よりも更に圧縮されることになり、外周方向に潰れて懸架スプリングに接触し、蛇腹部を破損させると言った不具合を発生させることが考えられる。
【０００９】
本発明の目的は、ピストンロッドのストローク長さが縮み行程よりも伸び行程の方が長く設定された油圧緩衝器でも問題無く、且つ安価に取り付けることができるダストカバーの取付構造を提供することである。
【課題を解決するための手段】
【００１０】
上記の目的を達成するため、本発明は、シリンダ開口端部から侵退するピストンロッドを覆うようにこのピストンロッドの外周に配置される蛇腹状のダストカバーを備えた油圧緩衝器において、ダストカバーの先端をピストンロッドの先端側に固定すると共に、シリンダの開口端部近傍にダストカバーの基端部が当接する規制部材を設け、ピストンロッドの縮み行程時にダストカバーの基端部が規制部材よりシリンダ基端側へ移動するのを防止した。
【発明の効果】
【００１１】
本発明によれば、ピストンロッドがシリンダ内に侵入する縮み行程では、ピストンロッドの侵入に伴ってこのピストンロッドに先端が取り付けられたダストカバーも下方に移動するが、このダストカバーはその基端部がシリンダの開口端部近傍に設けられた規制部材に当接してそれよりもシリンダ基端側への移動を規制されるので、この基端部が規制部材よりシリンダ基端側に位置する他部材に当接するのを防止できる。従って、ダストカバーの基端部が他部材に当接することによって生じる他部材の塗装の剥がれ、それに起因する錆の発生を確実に防止できる。
【００１２】
又、ピストンロッドがシリンダから退出する伸び行程では、ピストンロッドの退出に伴ってこのピストンロッドに先端が取り付けられたダストカバーも上方に移動するが、ダストカバーの基端部がシリンダに対して固定されていないので、縮み行程のストローク長さよりも伸び行程のストローク長さが長く設定された油圧緩衝器でも、伸び行程においてその行程の途中で蛇腹部が伸びきってしまい、長さが不足すると言った不具合を防止できる。
【００１３】
更には、ダストカバーの基端側をシリンダ側に固定しないので、固定作業を不要とし、その分、組付コストを削減できる。
【発明を実施するための最良の形態】
【００１４】
以下に、本発明を自動車のサスペンションに用いる複筒型のストラット型油圧緩衝器に具体化した実施の形態を図に基づいて説明するが、図１は、車体に装着された状態の油圧緩衝器１を示し、シリンダ２の基端（図１における下方を言う）外周には図示しない車軸側のナックルアームと連結するナックルブラケット３が溶接により固定されており、このナックルブラケット３の上方となるシリンダ２外周には懸架ばね４の下端を支持するロアスプリングガイドとしてのロアスプリングシート５が溶接固定されている。
【００１５】
シリンダ２の開口端部には有底筒状をなす合成樹脂製のバンプストッパ７が嵌合されており、このバンプストッパ７を介してピストンロッド８がシリンダ２から侵退可能に突出されている。
【００１６】
バンプストッパ７の下端外周にはシリンダ２の外周方向に向って突出する本発明の規制部材としての複数の突部（図２に示すように、本実施の形態では４個）９が、シリンダ２の周方向に所定間隔をおいて形成されており、この突部９の先端を結んで出来る円の外径Ｒが後述するダストカバー１５の基端部の外径ｒよりも大きくなるように設定されている。
【００１７】
ピストンロッド８の先端には車体側への取付金具を備えたストラットインシュレータ１１がナット１０により固定されており、このインシュレータ１１の下部となるピストンロッド８にはバンプラバー１２が圧入固定されている。
【００１８】
又、バンプラバー１２の外周側となるストラットインシュレータ１１の下部には全体が合成樹脂よりなるベアリング部材１３が固定されており、このベアリング部材１３の下部には懸架ばね４の上端を支持する合成ゴム又は天然ゴム製のアッパースプリングガイドとしてのアッパースプリングシート１４が嵌合されている。
【００１９】
ベアリング部材１３とバンプラバー１２との間にはダストカバー１５の先端側に設けられた取付部１６が配置されており、ベアリング部材１３の内周面とバンプラバー１２の外周面とで挟持されることで位置決め固定されている。
【００２０】
ダストカバー１５はベアリング部材１３とバンプラバー１２との間に挟持される筒状の取付部１６と、この取付部１６から下方に連設された蛇腹部１７とから構成され、上述した車体に装着された状態ではダストカバー１５の基端部が突部９に当接するようになっている。
【００２１】
又、ダストカバー１５は、ピストンロッド８が最も縮んだ状態の時にダストカバー１５の蛇腹部１７が最も折り畳まれるようにこの蛇腹部１７の山部の外径、谷部の内径、山数等が設定されている。
【００２２】
更には、この蛇腹部１７の基端部となるダストカバー１５の基端部の外径ｒは上記バンプストッパ７の突部９の外径Ｒよりも小さく設定されており、ピストンロッド８がシリンダ２内に侵入する縮み行程ではダストカバー１５の基端部がバンプストッパ７の突部９に当接してそれよりもシリンダ２の基端側となる下方には移動しないようになっている。
【００２３】
以上のように構成された油圧緩衝器によれば、ピストンロッド８がシリンダ内に侵入する縮み行程では、ピストンロッド８の侵入に伴ってこのピストンロッド８に先端が取り付けられたダストカバー１５も下方に移動する。
【００２４】
ところが、シリンダ２の開口端部に設けられたバンプストッパ７には外径Ｒをダストカバー１５の基端部の外径ｒよりも大きく設定した突部９が設けられているので、ダストカバー１５はその基端部が突部９に当接してそれよりも下方への移動を規制される。
【００２５】
従って、この基端部がバンプストッパ７より下方に位置するロアスプリングシート５に当接するのを防止でき、基端部がロアスプリングシート５に当接することによって生じるロアスプリングシート５の塗装の剥がれ、それに起因する錆の発生を防止できる。
【００２６】
又、ピストンロッド８がシリンダ２から退出する伸び行程では、ピストンロッド８の退出に伴ってこのピストンロッド８に先端が取り付けられたダストカバー１５も上方に移動する。
【００２７】
ところが、ダストカバー１５の基端部がシリンダ２に対して固定されていないので、縮み行程のストローク長さよりも伸び行程のストローク長さが長く設定された油圧緩衝器でも、伸び行程においてその行程の途中で蛇腹部１７が伸びきってしまい、長さが不足すると言った不具合を防止することができる。
【００２８】
特に、本実施例のように、ピストンロッド８が最も縮んだ状態の時にダストカバー１５の蛇腹部１７が最も折り畳まれるようにこの蛇腹部１７の山部の外径、谷部の内径、山数等が設定されている場合では、上記した伸び行程時の不具合が発生するので、本件発明は有効である。
【００２９】
又、規制部材としての突部９をバンプストッパ７の外周に所定間隔をおいて設けたので、ダストカバー１５の基端部が突部９に当接するときの音の発生を防止できる。
【００３０】
更には、ダストカバー１５の基端部が突部９に当接してから折り畳まれる際のエア抜きができるので、ピストンロッド８のスムーズな作動を損なうこともない。
【００３１】
又、従来のように、ダストカバー１５の基端側をシリンダ２側に固定しないので、固定作業を不要とし、その分、組付コストを削減できる。
【００３２】
尚、本発明は、前記実施の形態に限定されるものではなく、例えば、次のように変更して具体化することもできる。
【００３３】
（１）前記実施の形態では、規制部材としての突部９をバンプストッパ７に一体形成したが、別体で設けてバンプストッパ７やシリンダ２に取り付けるようにしても良い。
【００３４】
（２）前記実施の形態では規制部材を複数の突部９としたが、図３に示すように、蛇腹部の外径よりも大きな外径を有する円盤１９でも良い。この場合、円盤１９にエア抜き孔２０を設けておけば、異音やピストンロッド８の動きを損なう心配もない。又、円盤としては、平板状以外に波板状のものを使用すれば、エア抜き孔２０の心配もない。
【００３５】
（３）前記実施の形態では、ストラット型の油圧緩衝器に具体化したが、それ以外の油圧緩衝器に具体化しても良い。
【００３６】
（４）前記実施の形態では複筒型の油圧緩衝器に具体化したが、当然、単筒型の油圧緩衝器に具体化しても良い。
【図面の簡単な説明】
【００３７】
【図１】ストラット型油圧緩衝器を示す一部破断正面図である。
【図２】バンプストッパを示す平面図である。
【図３】本発明の別例を示す正面図である。
【符号の説明】
【００３８】
２  シリンダ
４  懸架ばね
５  ロアスプリングシート（ロアスプリングガイド）
７  バンプストッパ
８  ピストンロッド
９  突部（規制部材）
１２  バンプラバー
１５  ダストカバー
１７  蛇腹部
Ｒ  突部の先端を結んで出来た円の外径
ｒ  ダストカバーの基端部の外径
【図１】
2005188548.tif 000003
【図２】
2005188548.tif 000004
【図３】
2005188548.tif 000005